(57)【要約】【課題】  ユーザが所望する映像コンテンツの抽出作業に係る煩雑さを低減することが課題になっていた。【解決手段】  実施形態の電子機器は、第１の検索条件で検索された第１の録画番組リストを出力する第１の録画番組リスト出力部を備える。  また、前記出力された第１の録画番組リストから除外される番組が指定される除外番組指定部を備える。  また、前記指定された除外番組に関連する番組を前記第１の録画番組リストから除外する第２の検索条件が設定される第２の検索条件設定部を備える。  また、前記第１の検索条件および前記第２の検索条件で検索された第２の録画番組リストを出力する第２の録画番組リスト出力部を備える。【選択図】  図３
2014071774.tif 000002
【特許請求の範囲】
【請求項１】
第１の検索条件で検索された第１の録画番組リストを出力する第１の録画番組リスト出力部と、
前記出力された第１の録画番組リストから除外される番組が指定される除外番組指定部と、
前記指定された除外番組に関連する番組を前記第１の録画番組リストから除外する第２の検索条件が設定される第２の検索条件設定部と、
前記第１の検索条件および前記第２の検索条件で検索された第２の録画番組リストを出力する第２の録画番組リスト出力部を備える電子機器。
【請求項２】
前記第２の検索条件に、録画状態の番組に関する検索を設定可能な請求項１に記載の電子機器。
【請求項３】
前記第２の検索条件に、検索結果が、予め設定した値の数を超える場合の番組タイトルを設定可能な請求項１に記載の電子機器。
【請求項４】
前記第２の検索条件に、子供を対象とする除外条件を設定可能な請求項１に記載の電子機器。
【請求項５】
前記第１の検索条件および前記第２の検索条件を出力する出力部を備える請求項１に記載の電子機器。
【請求項６】
前記第２の検索条件に、録画状態の番組に関する検索、検索結果が、予め設定した値の数を超える場合の番組タイトル、子供を対象とする除外条件のうちの２つ以上の条件が組み合わされる請求項１に記載の電子機器。
【請求項７】
第１の検索条件で検索された第１の録画番組リストを出力するステップと、
前記出力された第１の録画番組リストから除外される番組が指定されるステップと、
前記指定された除外番組に関連する番組を前記第１の録画番組リストから除外する第２の検索条件が設定されるステップと、
前記第１の検索条件および前記第２の検索条件で検索された第２の録画番組リストを出力するステップを備える電子機器。
【請求項８】
第１の検索条件で検索された第１の録画番組リストを出力するステップと、
前記出力された第１の録画番組リストから除外される番組が指定されるステップと、
前記指定された除外番組に関連する番組を前記第１の録画番組リストから除外する第２の検索条件が設定されるステップと、
前記第１の検索条件および前記第２の検索条件で検索された第２の録画番組リストを出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、複数チャンネルのテレビ放送を同時に受信して、連続的に、記録媒体に録画可能な電子機器が普及している。また、これらの電子機器は、例えば、一定時間経過後には順次、上書きが可能な機能を有するものもある。
【０００３】
このような電子機器においては、映像コンテンツ（放送番組等）を大量に録画することが可能であり、ユーザは、例えば、所望の映像コンテンツ（放送番組等）をうっかり見逃してしまうということを防止することが可能である。
【０００４】
しかし、映像コンテンツ（放送番組等）が大量に録画されることから、ユーザは、所望の映像コンテンツ（放送番組等）を探し出す作業が煩雑になることが問題になっていた。
【０００５】
そして、この所望の映像コンテンツ（放送番組等）を探し出す作業の煩雑さを低減するために、例えば、所定の条件を設定した検索が行なわれている。
【０００６】
しかし、例えば、現在放送されている番組には、再放送の番組や、放送時間が５分程度の短い番組等が多く、上記のような検索を行なっても、まだ、抽出される番組数が多くなってしまい、依然として、録画された映像コンテンツ（放送番組等）の中からユーザが所望する映像コンテンツを抽出する作業は、煩雑であった。
【０００７】
このため、ユーザが所望する映像コンテンツの抽出作業を低減することが課題になっていた。
【先行技術文献】
【特許文献】
【０００８】
【特許文献１】特開２００６−１７４３１７号公報
【特許文献２】特開２００６−３０３５７２号公報
【特許文献３】特開２００６−３２５０１２号公報
【特許文献４】特許第４７１９１５３号公報
【発明の概要】
【発明が解決しようとする課題】
【０００９】
録画された映像コンテンツ（放送番組等）の中からユーザが所望する映像コンテンツを抽出する作業は、煩雑であった。
【００１０】
このため、ユーザが所望する映像コンテンツの抽出作業に係る煩雑さを低減することが課題になっていた。
【課題を解決するための手段】
【００１１】
実施形態の電子機器は、第１の検索条件で検索された第１の録画番組リストを出力する第１の録画番組リスト出力部を備える。
【００１２】
また、前記出力された第１の録画番組リストから除外される番組が指定される除外番組指定部を備える。
【００１３】
また、前記指定された除外番組に関連する番組を前記第１の録画番組リストから除外する第２の検索条件が設定される第２の検索条件設定部を備える。
【００１４】
また、前記第１の検索条件および前記第２の検索条件で検索された第２の録画番組リストを出力する第２の録画番組リスト出力部を備える。
【図面の簡単な説明】
【００１５】
【図１】実施形態に係わる電子機器の構成を示すブロック図。
【図２】実施形態に係わる電子機器の表示部に表示される、番組検索リストを示す図。
【図３】実施形態に係わる電子機器の表示部に表示される、検索条件が設定されるようすを示す図。
【図４】実施形態に係わる電子機器の表示部に表示される、録画状態に関する検索条件が設定されるようすを示す図。
【図５】実施形態に係わる電子機器の表示部に表示される、検索結果が所定の値を超えた場合の検索条件が設定されるようすを示す図。
【図６】実施形態に係わる電子機器の表示部に表示される、子供を対象とする検索条件が設定されるようすを示す図。
【図７】実施形態に係わる電子機器の表示部に表示される、図３にさらに他の検索条件が設定されたようすを示す図。
【図８】実施形態に係わる電子機器の動作を説明するフローチャート。
【図９】実施形態に係わる、図５に示す、電子機器の動作を説明するフローチャート。
【図１０】実施形態に係わる、図６に示す、電子機器の動作を説明するフローチャート。
【発明を実施するための形態】
【００１６】
以下、図面を参照し、実施の形態を説明する。
【００１７】
図１は、実施形態に係わる電子機器の構成を示すブロック図である。
【００１８】
この実施形態においては、電子機器１は、例えば、複数チャンネルのテレビ放送を同時に受信して、連続的に、記録媒体に録画可能な機能（丸録り機能）を備えている。
【００１９】
そして、電子機器１は、ここでは、テレビを用いて説明を行うが、放送を受信可能な録画機器や、スマートフォン等の携帯機器で構成することも可能である。
【００２０】
そして、この実施形態に係る電子機器１は、第１の検索条件で検索された第１の録画番組リストを出力する第１の録画番組リスト出力部を備える。
【００２１】
また、前記出力された第１の録画番組リストから除外される番組が指定される除外番組指定部を備える。
【００２２】
また、前記指定された除外番組に関連する番組を前記第１の録画番組リストから除外する第２の検索条件が設定される第２の検索条件設定部を備える。
【００２３】
また、前記第１の検索条件および前記第２の検索条件で検索された第２の録画番組リストを出力する第２の録画番組リスト出力部を備える。
【００２４】
そして、図１に示すように、例えば、電子機器１は、アンテナ２、複数のチューナ（３ａ、３ｂ、３ｃ、３ｄ、３ｅ、３f）、信号処理部符号４、映像処理部符号５、音声処理部６、表示処理部７、表示装置（映像表示部）８、スピーカ９、バス１０、制御部１１、ＭＰＵ１２、ＲＡＭ１３、ＲＯＭ１４、フラッシュメモリ１５、録画装置１６、外部インターフェース１７、操作受信部１９、送受信部２１、録画番組表生成部２２、番組表作成部２３を備えている。
【００２５】
また、外部記憶装置１８、操作機器（リモートコントローラ）２０、インターネット２６は、電子機器１に接続される。
【００２６】
また、２５ａ、２５ｂは放送番組を放送する放送局である。放送番組は放送局２５ａ、２５ｂ等、複数の放送局から複数の番組が放送される。
【００２７】
アンテナ２は電子機器１に接続される。ここでは、電子機器１では、複数のチューナ（３ａ、３ｂ、３ｃ、３ｄ、３ｅ、３f）が構成される。
【００２８】
そして、複数の放送局２５ａ、２５ｂ等から放送波の形態で放送された複数の番組（放送信号）が、アンテナ２で受信され、複数のチューナ（３ａ、３ｂ、３ｃ、３ｄ、３ｅ、３f）に向けて送信される。チューナ（３ａ、３ｂ、３ｃ、３ｄ、３ｅ、３f）は、複数の番組（放送信号）を選局受信し、信号処理部４へ出力する。
【００２９】
ここでは、制御部１１のＭＰＵ１２は、チューナ（３ａ、３ｂ、３ｃ、３ｄ、３ｅ、３f）、信号処理部４、映像処理部５、音声処理部６、表示処理部７、ＲＡＭ１３、ＲＯＭ１４、フラッシュメモリ１５、録画装置１６、外部インターフェース１７、操作受信部１９、操作機器（リモートコントローラ）２０、送受信部２１と、それぞれ、バス１０を介して接続され、これらを制御する。
【００３０】
信号処理部４は、チューナ（３ａ、３ｂ、３ｃ、３ｄ、３ｅ、３f）で選局され、同時（並列）に送信された複数の番組に係る映像信号に同時（並列）にデコード処理を施し、トランスポートストリーム（ＴＳ）のフォーマットで、録画装置１６へ映像信号を出力する。
【００３１】
録画装置１６は、ＨＤＤやＳＳＤ等の記録媒体を備えた大容量の録画装置（映像信号蓄積装置）であり、ここでは映像表示装置１の内部に構成される。
【００３２】
録画装置１６は、トランスポートストリーム（ＴＳ）のフォーマットで送信された映像信号を連続的に受信し、受信した複数の放送番組を全て、録画装置１６に録画する（丸録り）。
【００３３】
録画装置１６に丸録りされた放送番組を視聴する際は、後述する過去番組表から、ユーザが所定の番組を指定する。この指定された番組に係る映像信号が、丸録りされた映像信号の中から切り出され（抽出され）、表示装置８に表示され、視聴される。
【００３４】
また、過去番組表は制御部１１の録画番組表生成部２２で生成される。
【００３５】
ユーザに指定され、丸録りされた映像信号の中から切り出された（抽出された）映像信号は信号処理部４でデコード処理され、それぞれ音声信号と映像信号を抽出し、出力する。音声信号は音声処理部６に出力される。映像信号は映像処理部５に出力される。
【００３６】
音声処理部６は出力された音声信号にデコード処理を行い、スピーカ９へ出力する。スピーカ９はデコード処理された音声信号を受信し、音声に変換して出力する。
【００３７】
映像処理部５は出力された映像信号にデコード処理を行い、表示処理部７へ出力する。表示処理部７は色や表示位置等の表示処理を行い、表示装置８へ出力する。表示装置８は表示処理された映像信号を受信し、図示しない表示パネル等の表示部に表示する。
【００３８】
また、録画番組表生成部２２で生成された過去番組表は上記のように、表示装置８に表示される。
【００３９】
この実施の形態においては、外部インターフェース１７を介して、映像表示装置１の外部にＨＤＤやＳＳＤ等の記憶媒体を備える外部記憶装置１８が接続され、上記録画装置１６と同様に用いることが可能である。
【００４０】
また、操作受信部１９を介して、リモートコントローラやキーボード等の操作機器２０が接続され、映像表示装置１のユーザ操作が可能である。
【００４１】
また、送受信部２１を介して、インターネット２６に接続され、インターネット通信が可能である。
【００４２】
また、上記においては、チューナ（３ａ、３ｂ、３ｃ、３ｄ、３ｅ、３f）は丸録りに用いられる説明を行ったが、例えば、ＰＶＲ録画にも用いることが可能である。
【００４３】
図２は、実施形態に係わる電子機器の表示部に表示される、番組検索リストを示す図である。
【００４４】
ここでは、図２（ａ）に示すように、電子機器１は、例えば、予め設定された所定の条件（第１の検索条件）で検索された第１の録画番組リスト（番組検索リスト）が、表示装置８に表示出力される（第１の録画番組リスト出力部）。
【００４５】
ここでは、例えば、第１の録画番組リスト（番組検索リスト）に、「１．２０１２／１０／１１  １０：００ＡＭ−１０：３０ＡＭ    ○○テレビ  タイトル「××△△」」１０１、「２．    ２０１２／１０／１１    １０：００ ＡＭ  − １１：００  ＡＭ   □□テレビ  タイトル「××××」」１０２、「３．  ２０１２／１０／１１  １１：００  ＡＭ  − １１：３０ ＡＭ  ○□テレビ  タイトル「○○××」」１０３、「４．  ２０１２／１０／１１   ０１：００ ＰＭ  − ０１：３０ ＰＭ  ○□テレビ  タイトル「△△××」」１０４、「５．  ２０１２／１０／１１  ０７：３０ ＰＭ  − ０９：００ ＰＭ  △□テレビ  タイトル「××□□」」１０５が表示されている。
【００４６】
また、ここでは、ユーザによって操作機器（リモートコントローラ等）２０が操作され、このリストの中から、「３．  ２０１２／１０／１１  １１：００  ＡＭ  − １１：３０ ＡＭ  ○□テレビ  タイトル「○○××」」１０３にカーソルが重ねられている。
【００４７】
また、図２（ａ）に示すように、表示装置８には、「緑ボタン」３１が表示されている。
【００４８】
この「緑ボタン」３１は、ユーザが除外したい映像コンテンツを指定する際に利用する。
【００４９】
そして、例えば、ユーザは、上記のように、ユーザが除外したい映像コンテンツ「３．  ２０１２／１０／１１  １１：００  ＡＭ  − １１：３０ ＡＭ  ○□テレビ  タイトル「○○××」」１０３にカーソルが重ねられている状態で、操作機器（リモートコントローラ等）２０の「緑ボタン」を操作することにより、このユーザが除外したい映像コンテンツが指定される。
【００５０】
図２（ｂ）は、指定された番組の「番組タイトル」に関連する番組の除外検索を設定するようすを示す図である。
【００５１】
上記ユーザが除外したい映像コンテンツの指定動作に続き、図２（ｂ）に示すように、表示装置８に、例えば、「指定された番組の「番組タイトル」に関連する番組を除外検索しますか？」と表示される。
【００５２】
ここで、ユーザは、例えば、操作機器（リモートコントローラ等）２０を操作し、表示装置８に表示された「Ｙｅｓ」または「Ｎｏ」を指定する。ここでは、「Ｙｅｓ」３２が指定され、指定された番組（１０３）の「番組タイトル（ここでは、「○○××」）」に関連する番組が除外検索として設定される。
【００５３】
すなわち、上記出力された第１の録画番組リスト（図２）から、除外される番組（１０３）が指定される（除外番組指定部）。
【００５４】
図３は、実施形態に係わる電子機器の表示部に表示される、検索条件が設定されるようすを示す図である。
【００５５】
ここでは、例えば、第１の録画番組リスト（番組検索リスト）の検索条件に、上記図２で設定された除外検索の検索条件が組み合わされた検索条件が表示出力されている。
【００５６】
図３に示すように、ここでは、「ジャンル」は「情報／ワイドショー」２０１、「キーワード」は「指定なし」２０２、「番号記号」は「指定なし」２０３、「３Ｄ」は「指定なし」２０４、「日付」は「指定なし」２０５である。
【００５７】
また、「チャンネル」は「すべて」２０６、「録画状態」は「指定なし」２０７である。
【００５８】
また、「除外キーワード」２０８は、上記設定されたように、「番組タイトル「○○××」」である。
【００５９】
この「番組タイトル「○○××」」は、上記のように除外指定する番組１０３が指定されることにより、この除外指定された番組から、電子機器１で、自動作成される。
【００６０】
また、ここでは、「除外条件」は「  」２０９、すなわち、設定されていない。
【００６１】
そして、ここでは、表示装置８に、「上記条件で検索して良いですか？」と表示される。
【００６２】
ここで、ユーザは、例えば、操作機器（リモートコントローラ等）２０を操作し、表示装置８に表示された「Ｙｅｓ」または「Ｎｏ」を指定する。ここでは、「Ｙｅｓ」３３が指定され、上記設定された除外検索を含む検索が実行される。
【００６３】
すなわち、上記指定された除外番組に関連する番組を前記第１の録画番組リストから除外する第２の検索条件が設定される（第２の検索条件設定部）。
【００６４】
また、特に図示しないが、上記第１の検索条件および前記第２の検索条件で検索された第２の録画番組リストが、電子機器１の表示装置８に出力される（第２の録画番組リスト出力部）。
【００６５】
図４は、実施形態に係わる電子機器の表示部に表示される、録画状態に関する検索条件が設定されるようすを示す図である。
【００６６】
この実施形態においては、電子機器１は、録画状態に関する検索条件を設定することが可能である。
【００６７】
例えば、図４に示すように、表示装置８に、「録画状態に関する検索条件」の設定画面が表示出力される。
【００６８】
そして、ユーザは、操作機器（リモートコントローラ等）２０を操作し、例えば、表示装置８に表示出力された設定を指定する。
【００６９】
ここでは、停電等で、「録画が欠けている番組は除外」する設定３０１および「上書き削除中の番組は除外」する設定３０２が表示出力されている。
【００７０】
そして、ユーザは、例えば、図４に示すように、「録画が欠けている番組は除外」する設定３０１を指定し、電子機器１に設定される。
【００７１】
図５は、実施形態に係わる電子機器の表示部に表示される、検索結果が所定の値を超えた場合の検索条件が設定されるようすを示す図である。
【００７２】
この実施形態は、例えば、上記のように、第１の録画番組リスト（番組検索リスト）の検索条件や、上記図２で設定された除外検索の検索条件が組み合わされた検索条件を用いた検索が行なわれる場合に適用可能である。
【００７３】
ここでは、電子機器１は、第１の録画番組リスト（番組検索リスト）の検索条件や、上記図２で設定された除外検索の検索条件が組み合わされた検索条件を用いた検索が行なわれた場合に、例えば、検索結果において、予め決められた値（例えば、１００件）を超える番組タイトル「＊＊＊」の数が抽出されたかを検出する。
【００７４】
そして、予め決められた値（例えば、１００件）を超える番組タイトル「＊＊＊」の数が抽出されたと検出された場合は、図５に示すように、表示装置８に、例えば、「番組タイトル「＊＊＊」の検索結果が１００件を超えました。この「番組タイトル」を除外キーワードとして設定しますか？」と表示出力される。
【００７５】
そして、ユーザは、例えば、操作機器（リモートコントローラ等）２０を操作し、表示装置８に表示された「Ｙｅｓ」または「Ｎｏ」を指定する。ここでは、「Ｙｅｓ」３４が指定され、番組タイトル「＊＊＊」を、除外キーワードとして設定する。
【００７６】
図６は、実施形態に係わる電子機器の表示部に表示される、特に子供を対象とする検索条件が設定されるようすを示す図である。
【００７７】
この実施形態においては、電子機器１は、特に子供を対象とする検索条件（除外条件）を設定することが可能である。
【００７８】
例えば、図６に示すように、表示装置８に、「２０歳未満の除外キーワード指定」、「除外キーワードを指定してください」と表示出力される。
【００７９】
また、「除外キーワード」として、例えば、「お酒」４０１、「タバコ」４０２、「麻薬」４０３、「ユーザ設定」４０４が表示出力されている。
【００８０】
そして、ユーザは、例えば、操作機器（リモートコントローラ等）２０を操作し、ここでは、「お酒」４０１、「麻薬」４０３が指定され、電子機器１に設定される。
【００８１】
図７は、実施形態に係わる電子機器の表示部に表示される、図３にさらに他の検索条件が設定されたようすを示す図である。
【００８２】
ここでは、例えば、第１の録画番組リスト（番組検索リスト）の検索条件に、上記図２で設定された除外検索の検索条件が組み合わされた検索条件が表示出力されている。
【００８３】
また、図７に示すように、ここでは、「ジャンル」は「情報／ワイドショー」２０１、「キーワード」は「指定なし」２０２、「番号記号」は「指定なし」２０３、「３Ｄ」は「指定なし」２０４、「日付」は「指定なし」２０５である。
【００８４】
また、「チャンネル」は「すべて」２０６、「録画状態」は「指定なし」２０７である。
【００８５】
そして、この実施形態においては、「除外キーワード」２０８は、上記図２乃至図６で設定されたように、「番組タイトル「○○××」（自動作成）」および「＊＊＊」である。
【００８６】
この「番組タイトル「○○××」（自動作成）」２０８は、上記のように除外指定する番組１０３が指定され、この除外指定された番組から電子機器１で、自動作成される（図２）。
【００８７】
また、「＊＊＊」２０８は、予め決められた値（例えば、１００件）を超える番組タイトル「＊＊＊」の数が抽出されたと検出された場合に、除外キーワードとして設定される（図５）。
【００８８】
また、この実施形態においては、「除外条件」２０９は、上記図２乃至図６で設定されたように、「録画が欠けている番組」である（図４）。
【００８９】
また、さらに、「除外条件」２０９には、「お酒、麻薬の番組」も加えられる（図６）。
【００９０】
そして、ここでは、上記と同様に、表示装置８に、「上記条件で検索して良いですか？」と表示される。
【００９１】
ここで、ユーザは、例えば、操作機器（リモートコントローラ等）２０を操作し、表示装置８に表示された「Ｙｅｓ」または「Ｎｏ」を指定する。ここでは、「Ｙｅｓ」３５が指定され、上記設定された除外検索を含む検索が実行される。
【００９２】
すなわち、上記指定された除外番組に関連する番組を前記第１の録画番組リストから除外する第２の検索条件が設定される（第２の検索条件設定部）。
【００９３】
また、特に図示しないが、上記第１の検索条件および前記第２の検索条件で検索された第２の録画番組リストが、電子機器１の表示装置８に出力される（第２の録画番組リスト出力部）。
【００９４】
図８は、実施形態に係わる電子機器の動作を説明するフローチャートである。
【００９５】
ステップＳ１００は、ここでの開始ステップである。続いて、ステップＳ１０１に進む。
【００９６】
ステップＳ１０１は、所定条件（第１の条件）で検索された録画番組の検索リスト（第１のリスト）を表示出力するステップである。続いて、ステップＳ１０２に進む。
【００９７】
ステップＳ１０２は、除外番組は指定されたかを検出するステップである。除外番組は指定されたと検出される場合は、ステップＳ１０３に進む（Ｙｅｓ）。除外番組は指定されないと検出される場合は、ステップＳ１０１に進み、上記処理を繰り返す（Ｎｏ）。
【００９８】
ステップＳ１０３は、例えば、図２に示すように、指定された除外番組に関連する番組（例えば、「番組タイトル」に関連する番組）を除外する検索を設定するステップである。続いて、ステップＳ１０４に進む。
【００９９】
ステップＳ１０４は、図４に示すように、録画状態の番組に関する検索を設定するステップである。続いて、ステップＳ１０５に進む。
【０１００】
ステップＳ１０５は、図５に示すように、検索結果が予め設定した値（例えば、１００件）を超える場合の検索を設定するステップである。続いて、ステップＳ１０６に進む。
【０１０１】
ステップＳ１０６は、図６に示すように、特に、子供を対象とした（例えば、２０歳未満）の除外キーワードを設定するステップである。続いて、ステップＳ１０７に進む。
【０１０２】
ステップＳ１０７は、図７に示すように、設定された検索条件を表示出力するステップである。続いて、ステップＳ１０８に進む。
【０１０３】
ステップＳ１０８は、例えば、除外検索を含む、第２の検索条件は設定されたかを検出するステップである。第２の検索条件は設定されたと検出される場合は、ステップＳ１０９に進む（Ｙｅｓ）。第２の検索条件は設定されたと検出されない場合は、ここでの処理を繰り返す（Ｎｏ）。
【０１０４】
ステップＳ１０９は、設定された条件（第１の条件＋第２の条件）で検索を実行し、特に図示しないが、録画番組の検索リスト（第２のリスト）を表示出力するステップである。続いて、ステップＳ１１０に進む。
【０１０５】
ステップＳ１１０は、終了ステップであり、ここでの処理は終了する。
【０１０６】
図９は、実施形態に係わる、図５に示す、電子機器の動作を説明するフローチャートである。
【０１０７】
ステップＳ２００は、ここでの開始ステップである。続いて、ステップＳ２０１に進む。
【０１０８】
ステップＳ２０１は、検索条件を設定するステップである。続いて、ステップＳ２０２に進む。
【０１０９】
ステップＳ２０２は、例えば、設定された検索条件にマッチした映像コンテンツ（番組）の数が設定値（１００）を超えるかを検出するステップである。設定された検索条件にマッチした映像コンテンツ（番組）の数が設定値（１００）を超えると検出される場合は、ステップＳ２０３に進む（Ｙｅｓ）。設定された検索条件にマッチした映像コンテンツ（番組）の数が設定値（１００）を超えないと検出される場合は、ステップＳ２０４に進む（Ｎｏ）。
【０１１０】
ステップＳ２０３は、例えば、電子機器１の表示装置８に、除外キーワードの設定を促すメッセージを表示出力するステップである。続いて、ステップＳ２０４に進む。
【０１１１】
ステップＳ２０４は、終了ステップであり、ここでの処理は終了する。
【０１１２】
図１０は、実施形態に係わる、図６に示す、電子機器の動作を説明するフローチャートである。
【０１１３】
ステップＳ３００は、ここでの開始ステップである。続いて、ステップＳ３０１に進む。
【０１１４】
ステップＳ３０１は、検索条件を設定するステップである。続いて、ステップＳ３０２に進む。
【０１１５】
ステップＳ３０２は、特に子供を対象にした除外検索条件（例えば、視聴年齢制限が２０歳未満）が設定されているかを検出するステップである。子供を対象にした除外検索条件が設定されていると検出される場合は、ステップＳ３０３に進む（Ｙｅｓ）。子供を対象にした除外検索条件が設定されていないと検出される場合は、ステップＳ３０４に進む（Ｎｏ）。
【０１１６】
ステップＳ３０３は、子供を対象にした除外検索条件（例えば、お酒、タバコ等のキーワード）を除外キーワードの候補として表示装置８に表示出力するステップである。続いて、ステップＳ３０４に進む。
【０１１７】
ステップＳ３０４は、終了ステップであり、ここでの処理は終了する。
【０１１８】
すなわち、上記のように、大量に録画された番組から、ユーザが所望する番組を探す方法のひとつに、例えば、テレビや録画装置等が備える番組検索機能がある。
【０１１９】
しかし、この番組検索機能が、良好に構成されていない場合（例えば、単純にキーワードやジャンルを設定する場合）は、ユーザが期待しないような番組が検索されてしまうことがある。この場合は、ユーザが所望する検索結果となっていないことがある。
【０１２０】
そこで、この実施形態においては、上記のように、除外検索を設定する。
【０１２１】
除外キーワードを設定することにより、期待しない番組を除外することが可能である。
【０１２２】
しかし、除外キーワードを単純に設定すると、ユーザが所望する番組もフィルタリングしてしまう恐れがある。例えば、ユーザが所望しない「今日の音楽」という番組と、ユーザが所望する「今日の晩御飯」という番組があった仮定した場合、「今日の」でフィルタリングしてすると、ユーザが所望する「今日の晩御飯」という番組もフィルタリングされてしまう。
【０１２３】
そこで、この実施形態においては、第１の検索結果（第１のリスト）を用い、除外検索する番組を指定する。
【０１２４】
すなわち、上記のように、電子機器１に、第１の検索結果（第１のリスト）を表示させ、その中の番組を指定する（図２（ａ））。すると、ここでは、「この番組を除外キーワードとして設定しますか？」というメッセージが表示される（図２（ｂ））。
【０１２５】
そして、ユーザが「Ｙｅｓ」を選択すると、番組タイトルが除外キーワードとして設定される。これにより、ユーザは、特定の番組を除外することが可能になる。
【０１２６】
また、他の実施形態として、録画状態を参照し、検索結果から除外しても良い（図４）。
【０１２７】
この例では、例えば、チェックボックス形式で複数を選択可能としており、除外条件は、例えば、「録画が欠けている番組は除外」や「上書き削除中の番組は除外」等である。
【０１２８】
ここで、録画が欠けている番組は、例えば、電源ＯＦＦの場合や、録画設定を「しない」に設定した場合、Ｂ−ＣＡＳカードが未接続になっている場合に、録画コンテンツの一部が欠けた番組のことを示す。
【０１２９】
また、上書き削除中の番組は、例えば、複数チャンネルの同時録画機能が構成されたテレビにおいて、ループ録画により、最も古い録画コンテンツを上書きして、新しい録画を開始している場合の、削除中番組のことを示す。
【０１３０】
この実施形態においては、除外条件に、例えば、これらの条件を加えることにより、これらの番組を検索結果から除外することができる。
【０１３１】
また、他の実施形態として、検索結果の検出数を用いる方法が挙げられる。
【０１３２】
ユーザにとって、検索結果に、例えば、１つや２つ程度の少ない数の好みではない番組が検索されたとしてもあまり不満はない。
【０１３３】
しかし、例えば、毎日放送される番組や再放送が頻繁にされる番組等では、同条件の検索で大量に抽出されてしまう。このため、他の検索結果が埋もれてしまうことがある。
【０１３４】
このような場合に、例えば、図５のようにメッセージを表示させ、この番組「＊＊＊」を除外キーワードとして設定するか否かの判断を、ユーザに促す。これにより、ユーザが所望する検索結果に近づけることが可能になる。
【０１３５】
また、この実施形態においては、特に子供を対象とした除外検索（例えば、視聴年齢制限設定等）を設定する。
【０１３６】
この設定情報によって、除外キーワードを自動設定／又は候補として挙げても良い。
【０１３７】
例えば、視聴年齢制限設定を２０歳未満に設定している時は、電子機器１が、自動的に、「お酒」や「タバコ」を除外キーワードとして設定することにより、子供にとって不適切な番組は抽出されないようにすることが可能である。
【０１３８】
すなわち、この実施形態においては、電子機器は、第１の検索条件で検索された第１の録画番組リストを出力する第１の録画番組リスト出力部を備える
また、前記出力された第１の録画番組リストから除外される番組が指定される除外番組指定部を備える
また、前記指定された除外番組に関連する番組を前記第１の録画番組リストから除外する第２の検索条件が設定される第２の検索条件設定部を備える
また、前記第１の検索条件および前記第２の検索条件で検索された第２の録画番組リストを出力する第２の録画番組リスト出力部を備える。
【０１３９】
また、この実施形態においては、電子機器は、前記第２の検索条件に、録画状態の番組に関する検索を設定可能である。
【０１４０】
また、この実施形態においては、電子機器は、前記第２の検索条件に、検索結果が、予め設定した値の数を超える場合の番組タイトルを設定可能である。
【０１４１】
また、この実施形態においては、電子機器は、前記第２の検索条件に、子供を対象とする除外条件を設定可能である。
【０１４２】
また、この実施形態においては、電子機器は、前記第１の検索条件および前記第２の検索条件を出力する出力部を備える。
【０１４３】
また、この実施形態においては、電子機器は、前記第２の検索条件に、録画状態の番組に関する検索、検索結果が、予め設定した値の数を超える場合の番組タイトル、子供を対象とする除外条件のうちの２つ以上の条件を組み合わせても良い。
【０１４４】
上記のように構成することによって、この実施の形態においては、ユーザが所望する映像コンテンツの抽出作業に係る煩雑さを低減することが可能になる。
【０１４５】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１４６】
なお、上記実施形態は、記述そのものに限定されるものではなく、実施段階では、その趣旨を逸脱しない範囲で、構成要素を種々変形して具体化することが可能である。
【０１４７】
また、上記実施形態に開示されている複数の構成要素の適宜な組み合せにより種々の発明を形成できる。
【０１４８】
例えば、実施形態に示される全構成要素から幾つかの構成要素を削除してもよい。更に、異なる実施形態に亘る構成要素を適宜組み合せてもよい。
【符号の説明】
【０１４９】
１…電子機器、８…映像表示装置（表示部）。
【図１】
2014071774.tif 000003
【図２】
2014071774.tif 000004
【図３】
2014071774.tif 000005
【図４】
2014071774.tif 000006
【図５】
2014071774.tif 000007
【図６】
2014071774.tif 000008
【図７】
2014071774.tif 000009
【図８】
2014071774.tif 000010
【図９】
2014071774.tif 000011
【図１０】
2014071774.tif 000012